(57)【要約】      （修正有）【課題】魚にダメージを与えないように釣針を抜き取る釣針外しの提供。【解決手段】固定具の先端部分が約４５度の斜面を形成しており、かつ、釣針が滑りやすくなるよう縁の形状を楕円形に加工していることから、釣針は、当該縁の部分を滑り、最終的には、確実にＢの位置に固定される。釣針の固定が完了したら、魚へのダメージを少なくするため、本体部分を横方向に回転させながら軽く押し上げる。釣針に掛かった部分が破壊され、釣針は、魚から外れる。釣糸を軽く引くことにより外した釣針を固定部に固定させた状態で、本体部分を、魚の口から抜き出す。【選択図】図７
2006280352.tif 000002
【特許請求の範囲】
【請求項１】
釣針外しの本体部分を筒状とし、当該筒の先端部分に「中通し釣針固定具」を施すことにより、釣れた魚の釣糸を先端部分から筒内に通して引き出し当該釣糸を手繰り寄せることで釣針を「中通し釣針固定具」に自動的に固定させ釣針を取り外すことを特徴とする、釣針はずしのための釣具。
【発明の詳細な説明】
【技術分野】
【０００１】  本発明は、釣った魚から釣針を外すための釣具に関する。
【背景技術】
【０００２】  従来のものには、硬質の金属棒又は硬質プラスチック棒の先端部分に丸い穴等の釣針固定部を施しているものやペンチ等を加工したものがある。
【発明の開示】
【発明が解決しようとする課題】
【０００３】  強化金属棒又は強化プラスチック棒の先端部分に丸い穴等の釣針固定部を施しているもの及びペンチ等を加工したものについては、釣針が見えない位置にあるか深い位置にかかっている場合、魚にダメージを与えないように釣針を抜き取るには、かなりの熟練を要する。また、釣れたばかりの魚は、暴れるのが通常である。熟練者ではあっても、このタイプの釣針外しでは、釣針を取り外す際には、魚体を圧して動きを静止させる必要がある。生きたまま出荷する魚や姿形を商品価値とする高級魚においては、鮮度及び品質低下の原因ともなる。
【課題を解決するための手段】
【０００４】  釣針外しの本体部分を筒状とし、当該筒の先端部分に「中通し釣針固定具」を施すことにより、釣れた魚の釣糸を先端部分から筒内に通して引き出し当該釣糸を手繰り寄せることで釣針を「中通し釣針固定具」に自動的に固定させ釣針を取り外すことを特徴とする、釣針はずしのための釣具により、解決を図るものである。
【発明の効果】
【０００５】  釣針外しに求められる必要条件は次のとおりであり、「中通しの釣針外し」は、これらの条件すべてをほぼ満たすものである。  １  魚に手を触れることなく、釣針を取り外すことが出来る。  ２  釣針を、確実・安全・迅速に魚から取り外し、かつ、取り出すことができる。  ３  釣針を取り外すことによる魚へのダメージが少ない。  ４  釣針・釣糸を傷つけない。  ５  使い方が簡単であり、熟練を要しない。  ６  小型魚、中型魚、大型魚、危険魚など、多種多様の対象魚に幅広く活用できる。  ７  製造コストを安くすることができる。  ８  互換性がある。
【発明を実施するための最良の形態】
【０００６】  中通し釣針外しは、図１に示す如く、本体部分と補助具により構成する。本体部分は、中通し釣針固定具１、パイプ棒２、柄３の３品目とし、補助具は、中通し棒４、中通し棒脱落防止具５の２品目とする。
【実施例】
【０００７】  以下、魚から釣針を取り外すまでの一連の流れと、その過程において果たす各構成品の構造・作用について説明する。【０００８】  釣れた魚をタモに収めた状態、或いは甲板上・岩場の上等に置いた状態のままで、図２に示すごとく、釣糸を「中通し釣針固定具」側から引き込み、柄の部分から引き出す。この際に、補助具である中通し棒を使用する。なお、中通し棒脱落防止用具は、中通し棒の紛失防止のため付するものである。【０００９】  図３に示す如く、利き手に本体部分の柄を握り、もう一方の手に、柄の部分から引き出した釣糸を握る。魚を引き寄せるようにして釣糸を引っ張りながら、本体部分を魚の口に差し込む。先端部の差し込みを釣糸が誘導する形になるので、魚に手を触れることなく差し込むことが出来る。【００１０】  本体部分の先端部となる「中通し釣針固定具（以下、固定具という。）」は、釣針を確実・安全・迅速に取り外せる状態に固定させるため、図４の如く作成する。正面図６の部分は、魚が咥えやすいように約４５度の角度に切断しており、７、１１、１２の部分は空洞である。７の部分は、１１の部分への釣針の引き込みを容易にするためのすり鉢状の空洞であり、形状を楕円形にし、切込みを、斜面６の後端部において最大角度約４５度となるよう１１の空洞入り口部分まで切り込み、当該切り込みを基準線として、先端部までをすり鉢状にカットしている。１２の部分は、パイプ棒に結合するための袋ナット部であり、固定具を、対象魚に応じて交換できるようにするものである。８の部分の厚味は、固定具の直径から内径を減じた半分の長さとなるが、この厚味を、釣針の開きの長さから１ｍｍ前後減じた幅になるよう設定することにより、固定部１０の部分に自動的に固定される釣針を、更に安定的に固定するとともに、外した釣針が再び魚に刺さるのを防ぐものである。また、８及び９の厚味については、後述するが、釣針を固定具に引き込むための働きを有するものである。なお、固定部１０については、釣針の軸の大小に対応し得るようＶ字型の切り込みとするものである。以下、固定具の作用について説明する。【００１１】  本体部分が魚の口内に入り、固定具が釣針のちもと付近に到達すると、針先とちもとの部分は、通常、強く魚に食い込んでいることが多く、図５に示す如く、この部位では固定具の進入を阻む作用が働く場合が多いので、ここで釣糸を強めに引くと、図６に示す如く、厚味９による段差があるため、釣針の軸の部分と釣糸が空洞１１の入り口に向かい一直線となり、ちもとの部分が持ち上がる。釣針が刺さっている位置や状態に変化が生じても、この作用は常に一定であり、固定具の縁の部分は、釣糸を引きつつ本体部分を押し込むことにより、持ち上がったちもとの下部を容易に通過することができる。【００１２】  本体部分を更に押し進めると、ちもと及び軸の部分は空洞１１の中へと引き込まれて行き、これに伴って、固定具の縁の部分が図７及び図８に示す任意の位置Ａに到達する。当該任意の位置は、魚への針掛りの状態によりまちまちとなるが、固定具の縁の部分は楕円形に加工していることから、３６０度のいずれの位置に存在する釣針をも、この状態に捕捉することができる。更に釣糸を張った状態で本体部分を押し込むと、固定具の先端部分が約４５度の斜面を形成しており、かつ、釣針が滑りやすくなるよう縁の形状を楕円形に加工していることから、釣針は、当該縁の部分を滑り、最終的には、確実に図７及び図８に示すＢの位置に固定される。【００１３】  釣針の固定が完了したら、魚へのダメージを少なくすため、本体部分を横方向に回転させながら軽く押し上げる。釣針に掛かった部分が破壊され、釣針は、魚から外れる。釣糸を軽く引くことにより外した釣針を固定部に固定させた状態で、本体部分を、魚の口から抜き出す。この際に、取り外した釣針は、固定具の厚味８により再び魚に針先が掛からないよう保護されていることとともに、固定具に固定されている釣針の向きは常に一定しており目印を付することにより容易に知ることができることから、針先を魚の口の横方向に向けるようにし、固定具の部分で針先の逆方向を圧しつつ本体部分を抜き出すことにより、更に安全に釣針を取り出すことができる。【００１４】  固定具の材質は、対象魚に応じ硬質金属、硬質プラスチック及び硬質ゴムとする。また、「中通しの釣針外し」の種類を、キス・カワハギなどの小型魚用、鯛などの中型魚用、鰤・マグロなどの大型魚用、ピラニアなどの危険魚用など、それぞれの対象魚の特質に応じて寸法・材質を適合させることにより、幅広い対象魚に活用することが可能となる。【００１５】  本釣針外しで釣針を取り外す際、釣具に大きな負担が掛かる部位は、釣針本体と釣針固定具の２箇所であり、釣糸が切れたり、釣糸によじれが出来るなどの損傷を防止することができる。【００１６】  本釣針外しの操作が熟練を要しないのは、本体部分のパイプに通した釣糸を強めに引きながら一気に固定部に釣針を固定させて釣針を外すという、単純でスピーディな仕組みにある。【００１７】  釣針を取り外す際には、釣糸と本体部分以外の部分に手を触れる必要性はなく、したがって、魚に手を触れることを要しない。
【図面の簡単な説明】
【図１】全体図
【図２】釣糸を中通しする方法を示したイメージ図である。
【図３】釣針外しの使用法を示したイメージ図である。
【図４】固定具の正面図、側面図、平面図である。
【図５】固定具が釣針のちもとの近くまで到達した様子を示したイメージ図である。
【図６】固定具が釣針のちもとの近くまで到達した時点で釣糸を強めに引いた場合に、釣針の軸と釣糸が一直線になり、ちもとの部分が持ち上がることを示したイメージ図である。
【図７】釣針が固定される様子を示したイメージ図である。
【図８】図７の斜視図である。
【符号の説明】
１  中通し釣針固定具２  パイプ棒３  柄４  中通し棒５  中通し棒固定具６  斜面７  すり鉢状の空洞８  厚味９  厚味１０  固定部１１  釣針及び釣糸を引き込むための空洞１２  袋ナット用の空洞
【図１】
2006280352.tif 000003
【図２】
2006280352.tif 000004
【図３】
2006280352.tif 000005
【図４】
2006280352.tif 000006
【図５】
2006280352.tif 000007
【図６】
2006280352.tif 000008
【図７】
2006280352.tif 000009
【図８】
2006280352.tif 000010